(57)【要約】【課題】  高速転送を可能とし、かつ保守性に優れた磁気ディスク装置を提供すること。【解決手段】  この中継ＦＰＣ２６は、書き込み信号を伝達するための書込線２６ａ，２６ｂと、書込線２６ａ，２６ｂから離間して配線され、読み取り信号を伝達するための読取線２６ｃと、書込線２６ａ，２６ｂから離間して読取線２６ｃと異なる位置に配線され、読み取り信号を伝達するための読取線２６ｄとを有し、書込線２６ａ，２６ｂと読取線２６ｃとの距離が、書込線２６ａ，２６ｂと読取線２６ｄとの距離と一致する点が少なくとも一点存在することを特徴とする。【選択図】  図５
2005071539.tif 000002
【特許請求の範囲】
【請求項１】
書き込み信号を伝達するための第１の電線と、
前記第１の電線から離間して配線され、読み取り信号を伝達するための第２の電線と、
前記第１の電線から離間して前記第２の電線と異なる位置に配線され、読み取り信号を伝達するための第３の電線とを有し、
前記第１の電線と前記第２の電線との距離が、前記第１の電線と前記第３の電線との距離と一致する点が少なくとも一点存在することを特徴とする配線板。
【請求項２】
前記第２の電線と前記第３の電線が交差することを特徴とする請求項１に記載の配線板。
【請求項３】
請求項１又は請求項２に記載の配線板を有するヘッド機構。
【請求項４】
請求項１又は請求項２に記載の配線板を有する磁気ディスク装置。
【請求項５】
書き込み信号及び読み取り信号を伝達するための配線板の製造方法であって、
前記読み取り信号を伝達するための第２の電線及び第３の電線を交差させる工程と、
前記第２の電線及び前記第３の電線の交差している位置に絶縁膜を配置する工程と、
前記第２の電線及び前記第３の電線を絶縁膜で覆う工程とを有する配線板の製造方法。
【発明の詳細な説明】
【技術分野】
【０００１】
本発明は、（磁気）ディスク装置に係り、特に、読み出し信号及び書き込み信号を伝達するためのＦＰＣ（Ｆｌｅｘｉｂｌｅ  Ｐｒｉｎｔｅｄ  Ｃｉｒｃｕｉｔ  ｂｏａｄ）に関する。本発明のＦＰＣは、例えば、ヘッドアームに配置され、ヘッドで取得した信号をやりとりするための中継ＦＰＣであって、大容量で転送速度の速い磁気ディスク装置に好適である。
【背景技術】
【０００２】
近年、デジタルカメラやデジタルビデオカメラなどの普及により、大容量の画像や動画の情報を高速で読み書きする事が必要となり、情報を記録する磁気ディスク装置は保守性に優れ、高速転送であることが望まれている。磁気ディスク装置は、一般的にヘッドによって磁気ディスクの情報を読み書きし、かかるヘッドで取得した情報をＦＰＣを介してＩＣチップとやりとりする。ＩＣチップとは、集積回路のことで、ヘッドからの伝達信号及びヘッドへの伝達信号を処理するものである。磁気ディスク装置は、磁気ディスクと、ヘッドアームと、ヘッドと、中継ＦＰＣとを有する。磁気ディスクは、ヘッドからの情報を記憶する円形状の記憶担体のことであり、情報をセクタ及びトラックと呼ばれる格納領域に記憶させる。ヘッドアームは、上面から眺めると略扇形状であり、磁気ディスクを挟むように配置され、その先端部は、ヘッドに繋がっており、ヘッドを水平方向に回転させる。ヘッドは、磁気ディスクの情報の読み書きを行い、サスペンションを介してヘッドアームに接続されている。中継ＦＰＣは、ヘッドとＩＣチップ間の情報を伝達するため備え付けられた配線である。また、中継ＦＰＣは、空気流の抵抗を受けにくくするために、ヘッドアームの側面部に配置され、磁気ディスクに書き込む信号を伝達するライト部と、磁気ディスクから読み込んだ信号を伝達するリード部とを有している。これらの配線の一端は、ヘッドと繋がっており、情報の読み書きを行う。そのために、流入出する電流用の電線（配線）が必要となるので、リード部及びライト部の電線は、各一対の電線から構成され、計４本の線がヘッドアームに対してそれぞれ並行に配置される。またライト部及びリード部は、導電膜であり、その周囲を絶縁膜で覆われ、かかる絶縁膜により各電線同士の干渉を防止している。
【発明の開示】
【発明が解決しようとする課題】
【０００３】
しかし、ライト部は、リード部と比べ流入出する電流量が多く、リード部の電流量が２．４〜３．４ｍＡ程度とすると、ライト部に流入出する電流量は２５〜６０ｍＡ程度と約１０倍以上の電流格差を生む。
そのため、中継ＦＰＣのリード部とライト部との間には電位差が発生し、ライト部からリード部への電流もれ（インジェクション）を引き起こしていた。即ち、２本のリード部のうちライト部に距離が近いリード部は、遠いリード部と比較してライト部からのインジェクションが多く、リード部の寿命を低下させていた。その結果、保守性に優れた磁気ディスク装置が提供できなかった。
【０００４】
また、ＦＰＣは、磁気ハードディスクの延命をするために、ライト部からのインジェクションの影響が出ない程度にリード素子に流す電流量を制限して動作させていた。そのため、充分なヘッド特性が得られず、ヘッドの設計が困難であった。
【０００５】
そこで、このような従来の課題を解決する新規かつ有用な磁気ディスク装置を提供することを本発明の概括的目的とする。
【０００６】
より特定的には、本発明は、高速転送を可能とし、かつ保守性に優れた磁気ディスク装置を提供することを例示的な目的とする。
【課題を解決するための手段】
【０００７】
上記目的を達成するために、本発明の例示的側面としての配線板は、書き込み信号を伝達するための第１の電線と、第１の電線から離間して配線され、読み取り信号を伝達するための第２の電線と、第１の電線から離間して第２の電線と異なる位置に配線され、読み取り信号を伝達するための第３の電線とを有し、第１の電線と第２の電線との距離が、第１の電線と第３の電線との距離と一致する点が少なくとも一点存在することを特徴とする。
【０００８】
かかる配線板によれば、第２及び第３の電線は、第１の電線から受けるインジェクションを分割することが可能となる。そのため、第２及び第３の電線は、かかるインジェクションを低減させることができる。即ち、第２及び第３の電線の電位差を減少させることができる。その結果、第２及び第３の電線への影響は減少し、配線板や配線板に接続される磁気ヘッド等の素子の寿命を向上することが可能になるので、保守性に優れた配線板を提供することができる。更に、配線板は、インジェクションを考慮したセンス電流の制限が不要となり、ヘッドの特性を向上することができる。そのため、配線板は高速転送にも対応することができる。
【０００９】
第２の電線と第３の電線が交差するように構成すると、第１の電線に対して第２の電線の方が第３の電線よりも近い部分と、第１の電線に対して第３の電線の方が第２の電線よりも近い部分とが存在することとなる。第１の電線から受けるインジェクションは、第１の電線からの距離に依存する。詳しくは、第１の電線から各電線までの距離の差に基づく電位差によりインジェクションが発生する。このように構成することにより、例えば第２の電線の方が近い部分では第２の電線の電位が高くなり、第３の電線が近い部分では第３の電線の電位が高くなる。それぞれの電位が打ち消し合って、結果的に第２、第３の電線に対するインジェクションを低減することができる。したがって、配線板や配線板に接続される磁気ヘッド等の素子の寿命を向上することが可能になるので、保守性に優れた配線板を提供することができる。更に、配線板は、インジェクションを考慮したセンス電流の制限が不要となり、大容量の情報を転送することができる。そのため、配線板は高速転送にも対応することができる。
【００１０】
本発明の他の側面としてのヘッド機構は、上記の配線板を有することを特徴とする。
【００１１】
かかるヘッド機構によれば、第２及び第３の電線は、第１の電線から受けるインジェクションを分割することが可能となる。そのため、第２及び第３の電線は、かかるインジェクションを低減させることができる。即ち、第２及び第３の電線の電位差を減少させることができる。第２の電線と第３の電線が交差するように構成すると、例えば第２の電線の方が近い部分では第２の電線の電位が高くなり、第３の電線が近い部分では第３の電線の電位が高くなる。それぞれの電位が打ち消し合って、結果的に第２、第３の電線に対するインジェクションを低減することができる。その結果、第２及び第３の電線への影響は減少し、配線板や配線板に接続されるヘッドの寿命を向上することが可能になるので、保守性に優れた配線板を提供することができる。更に、配線板は、インジェクションを考慮したセンス電流の制限が不要となり、大容量の情報を転送することができる。そのため、配線板は高速転送にも対応することができる。
【００１２】
本発明の他の側面としての磁気ディスク装置は、上記の配線板を有することを特徴とする。
【００１３】
かかる磁気ディスク装置によれば、第２及び第３の電線は、第１の電線から受けるインジェクションを分割することが可能となる。そのため、第２及び第３の電線は、かかるインジェクションを低減させることができる。即ち、第２及び第３の電線の電位差を減少させることができる。第２の電線と第３の電線が交差するように構成すると、例えば第２の電線の方が近い部分では第２の電線の電位が高くなり、第３の電線が近い部分では第３の電線の電位が高くなる。それぞれの電位が打ち消し合って、結果的に第２、第３の電線に対するインジェクションを低減することができる。その結果、第２及び第３の電線への影響は減少し、配線板や配線板に接続される磁気ヘッドの寿命を向上することが可能になるので、保守性に優れた配線板を提供することができる。更に、配線板は、インジェクションを考慮したセンス電流の制限が不要となり、大容量の情報を転送することができる。そのため、配線板は高速転送にも対応することができる。
【００１４】
本発明の他の側面としての配線板の製造方法は、書き込み信号及び読み取り信号を伝達するための配線板の製造方法であって、読み取り信号を伝達するための第２の電線及び第３の電線を交差させる工程と、第２の電線及び第３の電線の交差している位置に絶縁膜を配置する工程と、第２の電線及び第３の電線を絶縁膜で覆う工程とを有することを特徴とする。
【００１５】
この製造方法によれば、第２及び第３の電線が第１の電線から受けるインジェクションを分割できる配線板を製造することができる。そのため、第２及び第３の電線は、かかるインジェクションを低減させることができる。即ち、第２及び第３の電線の電位差を減少させることができる。第２の電線と第３の電線が交差しているので、例えば第２の電線の方が近い部分では第２の電線の電位が高くなり、第３の電線が近い部分では第３の電線の電位が高くなる。それぞれの電位が打ち消し合って、結果的に第２、第３の電線に対するインジェクションを低減することができる。その結果、第２及び第３の電線への影響は減少し、配線板や配線板に接続される磁気ヘッド等の素子の寿命を向上することが可能になるので、保守性に優れた配線板を提供することができる。更に、配線板は、インジェクションを考慮したセンス電流の制限が不要となり、大容量の情報を転送することができる。そのため、配線板は高速転送にも対応することができる。
【００１６】
本発明の更なる目的又はその他の特徴は添付図面を参照して説明される好ましい実施例において明らかにされるであろう。
【発明の効果】
【００１７】
本発明にかかる配線板によれば、第２及び第３の電線は、第１の電線から受けるインジェクションを分割することが可能となる。そのため、第２及び第３の電線は、かかるインジェクションを低減させることができる。即ち、第２及び第３の電線の電位差を減少させることができる。第２の電線と第３の電線が交差するように構成すると、例えば第２の電線の方が近い部分では第２の電線の電位が高くなり、第３の電線が近い部分では第３の電線の電位が高くなる。それぞれの電位が打ち消し合って、結果的に第２、第３の電線に対するインジェクションを低減することができる。その結果、第２及び第３の電線への影響は減少し、配線板や配線板に接続されるヘッドの寿命を向上することが可能になるので、保守性に優れた配線板を提供することができる。更に、配線板は、インジェクションを考慮したセンス電流の制限が不要となり、大容量の情報を転送することができる。そのため、配線板は高速転送にも対応することができる。
【発明を実施するための最良の形態】
【００１８】
[実施の形態１]
本発明の実施の形態１にかかる配線板を図１〜図６に基づいて説明する。図１は、この配線板を有する磁気ディスク装置としてのハードディスクドライブ（ＨＤＤ）１００の内部構造を示す平面図である。このＨＤＤ１００は、筐体１５０の内部に磁気ディスク１１０、キャリッジ１２０、アクチュエータ１３０、スピンドルモータ１４０を有して大略構成される。
【００１９】
磁気ディスク１１０は、シリコン基板やガラス基板表面に磁性剤が塗布された円板状記録媒体であり、磁気ヘッドによって情報記録／再生が行われるものである。このＨＤＤ１００の記録容量を大きく確保するために、磁気ディスク１１０は例えば表裏面の両面に磁性剤が塗布されて磁気記録可能とされ、かつ、図１中紙面に垂直な方向に沿って複数枚積層されて使用される。後述するように、各磁気ディスク１１０の各表裏面に対して１つずつの磁気ヘッドが配置され、磁気ディスク１１０に対する磁気記録／再生が可能とされている。
【００２０】
キャリッジ１２０は、磁気ヘッドを磁気ディスク１１０上の所望の位置に移動させるためのものである。キャリッジ１２０は、略扇形状のリジッドアーム部１０とサスペンション部２０とを有して大略構成されている。上述のように磁気ディスク１１０の両面に磁性層が塗布されている場合、このキャリッジ１２０は各面に対応して１つずつ配置されている。さらに、磁気ディスク１１０が積層して配置されている場合は、このキャリッジ１２０も積層枚数に応じて複数配置されることとなる。
【００２１】
リジッドアーム部１０は、図２に示すようにその略扇形状先端にサスペンション部２０を固定保持し、支持軸３０に嵌合されてその支持軸３０を中心に回転可能とされている。その支持軸３０はアクチュエータ１３０によって回転可能とされている。リジッドアーム部１０は、回転によって変形や振動を生じないように比較的高剛性の材料・構造を有して構成されている。
【００２２】
サスペンション部２０は、図３にも示されるように、比較的低剛性の薄板で形成された略扇形状の本体部２１の先端がヘッドマウント部２２とされ、そのヘッドマウント部２２にスライダ２３を有して大略構成されている。そのスライダ２３は、図４に示すように略直方体形状の一部に溝部２３ａやテーパ部２３ｂが形成されている。スライダ２３には、ヘッドギャップ２４ａを有するフィルム状の磁気ヘッド２４が接合されている。
【００２３】
スライダ２３は、フィルム状の磁気ヘッド２４を保持する。後述するスピンドルモータ１４０により磁気ディスク１１０が回転すると、その回転により生じた空気流が矢印Ａ方向から溝部２３ａテーパ部２３ｂに流れ込み、その空気抵抗により、スライダ２３及び磁気ヘッド２４は、磁気ディスク１１０表面から所定間隔で浮上するように構成されている。サスペンション部２０は低剛性の薄板で形成されているので、弾性変形によりスライダ２３及び磁気ヘッド２４が浮上するのを許容するようになっている。
【００２４】
アクチュエータ１３０は、磁気ヘッド２４を磁気ディスク１１０上の所望の位置に移動させるためのものである。アクチュエータ１３０は、例えばステッピングモータやサーボモータ等の制御可能な回転駆動装置によって構成され、連結された支持軸３０の回転制御を行うことができるようになっている。その支持軸３０には、キャリッジ１２０のリジッドアーム部１０が嵌合され固定されている。図示しない制御回路からの指令情報に基づいてアクチュエータ１３０が所望回転角度回転し、それによりリジッドアーム部１０も所望角度回転してサスペンション部２０のヘッドマウント部２２に取り付けられた磁気ヘッド２４を磁気ディスク１１０上の所望の位置に移動させることができる。
【００２５】
スピンドルモータ１４０は、磁気ディスク１１０を回転／停止させるためのものである。このＨＤＤ１００においては、スピンドルモータ１４０により磁気ディスク１１０を高速に一定速回転させ、磁気ヘッド２４を磁気ディスク１１０上の所望の位置に移動させつつ磁気記録／再生が行われる。磁気ディスク１１０の高速回転により周囲空気が巻き込まれて空気流となり、磁気ディスク１１０とスライダ２３との間に流れ込んでスライダ２３を磁気ディスク１１０の表面から所定間隔で浮上させる。それにより、磁気ヘッド２４と磁気ディスク１１０とが記録再生時に接触摺動することはなく、磁気ヘッド２４が焼き付いてしまうのを防止することができるようになっている。
【００２６】
図３に示すように、ヘッドマウント部２２には、ＦＰＣ（Ｆｌｅｘｉｂｌｅ  Ｐｒｉｎｔｅｄ  Ｃｉｒｃｕｉｔ  ｂｏａｄ）２５の一端部が設けられている。その一端部には磁気ヘッド２４内に備えられた記録ヘッド（書込ヘッド）部分から延長された書込線と再生ヘッド（読取ヘッド）部分から延長された読取線とを接続するためのランド２２ａが設けられており、書込線、読取線はこのランド２２ａに接続されている。
【００２７】
ＦＰＣ２５は、本体部２１の表面２１ａに沿ってリジッドアーム部１０に向かって延び、リジッドアーム部１０の手前で曲げ部２５ａを有してＦＰＣ２５の他端部が本体部２１の側面２１ｂへと回り込んでいる（図２も参照。）。
【００２８】
本体部２１の側面２１ｂからリジッドアーム部１０の側面１０ａにかけて、配線板としての中継ＦＰＣ２６が取り付けられている。この中継ＦＰＣ２６の一端部はＦＰＣ２５の他端部に電気的に接続され、中継ＦＰＣ２６の他端部はリジッドアーム部１０の基部１１に取り付けられたメインＦＰＣ１２に電気的に接続されている。そして、磁気ヘッド２４の書込線及び読取線の電気信号をメインＦＰＣ１２に搭載されたプリアンプＩＣ１３へと送受信できるようになっている。
【００２９】
なお、この実施の形態１においては、配線板としての中継ＦＰＣ２６がＦＰＣ２５とメインＦＰＣ１２とを電気的に接続するように構成されているが、必ずしもこのようにＦＰＣが３分割されている必要はない。ＦＰＣ２５を省略して中継ＦＰＣ２６が直接磁気ヘッド２４からの信号をメインＦＰＣ１２とを連結１２に送受信するようになっていてもよいし、その中継ＦＰＣ２６がメインＦＰＣ１２を兼ねていてももちろんよい。
【００３０】
図５は、この中継ＦＰＣ２６の配線構成を示す平面図である。この中継ＦＰＣ２６には、２本の書込線（第１の電線）２６ａ，２６ｂと、第２の電線としての読取線２６ｃ、第３の電線としての読取線２６ｄとの４本の電線が配線されて構成されている。
【００３１】
４本の電線２６ａ〜２６ｄはそれぞれ両端がＦＰＣ２５と接続するためのヘッド側ランド２６ｅとメインＦＰＣと接続するためのアンプ側ランド２６ｆとされている。そのヘッド側ランド２６ｅにおいて、書込線２６ａ及び２６ｂはＦＰＣ２５を介して書込ヘッドから延長された書込線の陽極側及び陰極側に電気的に接続されている。また、読取線２６ｃ及び２６ｄはＦＰＣ２５を介して読取ヘッドから延長された読取線の陽極側及び陰極側に電気的に接続されている。書込線２６ａ，２６ｂが書込ヘッドに接続され、読取線２６ｃ，２６ｄが読取ヘッドに接続される限りにおいて、陽極側又は陰極側のいずれに接続されるかは設計上の自由である。
【００３２】
書込線２６ａ，２６ｂは、ヘッド側アンプ２６ｅからアンプ側ランド２６ｆに至る経路において、略並行して直線的に配線されている。この実施の形態１においては、その書込線２６ａ，２６ｂに隣接して、一方側に（すなわち図５中下方側に）読取線２６ｃ，２６ｄが配線されている。
【００３３】
このＨＤＤ１００による書込の際には、磁気ヘッド２４内に備えられた書込ヘッドに例えば２５〜６０ｍＡ程度の電流を流すこととなるので、書込線２６ａ，２６ｂにも同程度の電流が流れる。この電流により、書込線２６ａ，２６ｂ周囲には磁界が生じ、その磁界が隣接して配線された読取線２６ｃ，２６ｄにインジェクションを引き起こす。
【００３４】
インジェクションによる影響は、読取線の極性に応じて逆向きとなる。しかしながら、書込線２６ａ，２６ｂからの距離に応じてインジェクションが変化する。つまり、書込線２６ａ，２６ｂから近いとインジェクションによる影響は大きく、遠いとインジェクションによる影響は小さくなる。
【００３５】
したがって、例えばこの読取線２６ｃ，２６ｄが書込線２６ａ，２６ｂと同様にヘッド側アンプ２６ｅからアンプ側ランド２６ｆに至る経路において、略並行して直線的に配線されている場合、書込線に近い側の読取線（例えば２６ｃ）に対するインジェクションは書込線から遠い側の読取線（例えば２６ｄ）に対するインジェクションよりも大きいものとなる。読取線２６ｃと読取線２６ｄとでは極性が逆であるが、インジェクションの大きさが異なるので相殺しきれず読取線２６ｃと読取線２６ｄとの間に電位差を生じてしまう。
【００３６】
磁気ディスク１１０の読取時に読取線２６ｃ，２６ｄに流れる電流が通常２．４〜３．４ｍＡであるのに対し、書込時に書込線２６ａ，２６ｂに流れる電流はその約１０倍以上の２５〜６０ｍＡ程度であるので、この書込電流によるインジェクションは無視できない数値となる。書込時に発生するこのインジェクションによって、読取線２６ｃ，２６ｄやそれに接続された読取ヘッドに悪影響を生じ、例えば読取ヘッドの寿命を低下させてしまう。
【００３７】
しかしながら、この実施の形態１に係る中継ＦＰＣ２６においては、読取線２６ｃと読取線２６ｄとが、図５に示すように経路の途中で交差している。その交差点２７よりもヘッド側ランド２６ｅに近い側においては、読取線２６ｃが書込線２６ａ，２６ｂに近く配線され、その交差点２７よりもアンプ側ランド２６ｆに近い側においては、読取線２６ｄが書込線２６ａ，２６ｂに近く配線されている。
【００３８】
したがって、交差点２７よりもヘッド側ランド２６ｅに近い側においては、書込線２６ａ，２６ｂによるインジェクションの影響を読取線２６ｃの方が強く受け、交差点２７よりもアンプ側ランド２６ｆに近い側においては、書込線２６ａ，２６ｂによるインジェクションの影響を読取線２６ｄの方が強く受けることとなる。これにより、互いのインジェクションの影響を相殺することができ、読取線２６ｃ，２６ｄが受けるインジェクションの影響を低減することができる。その結果、読取線２６ｃ，２６ｄに接続された読取ヘッドを寿命を向上させ、長寿命とすることができる。
【００３９】
ここでこの実施の形態１に係る中継ＦＰＣ２６においては、その長さＬの略半分の長さ（Ｌ／２）に相当する位置に交差点２７を設けている。この中継ＦＰＣ２６は、長さＬ方向に長く延び、その略両端にヘッド側ランド２６ｅとアンプ側ランド２６ｆとが配置されている。したがって、交差点２７の位置は、各電線２６ａ〜２６ｄの長さの略半分の長さに相当する位置となる。このように構成すると、読取線２６ｃの方が読取線２６ｄよりも書込線２６ａ，２６ｂに近い部分の長さと、読取線２６ｄの方が読取線２６ｃよりも書込線２６ａ，２６ｂに近い部分の長さとが略同じ長さとなるので、インジェクションの相殺を効率よく行うことができる。したがって、インジェクションに起因する読取線２６ｃ，２６ｄの電位差を略ゼロにすることができ、読取ヘッド等の寿命をより向上させることができる。
【００４０】
この中継ＦＰＣ２６を製造する製造方法について、図６を参照しつつ説明する。図６は中継ＦＰＣ２６の図５中ＡＡで切断した断面図である。まず基材となるベース層２上に書込線２６ａ，２６ｂ及び読取線２６ｃを配線する。ベース層２は例えばポリイミド等の絶縁樹脂材料で構成されており、各電線２６ａ〜２６ｄは銅などの金属を材料とする導電性材料で構成されている。書込線２６ａ，２６ｂ及び読取線２６ｃは、所定の間隔を空けて離間されて配線されている。読取線２６ｃは、その長さ方向経路の中間点で交差点２７を形成するためにクランク状に曲げられている。
【００４１】
読取線２６ｃの上から交差点絶縁層（絶縁膜）４が配置され、さらにその上に読取線２６ｄが配線される。この読取線２６ｄも読取線２６ｃ同様に、その長さ方向経路の中間点で交差点２７を形成するためにクランク状に曲げられている。したがって、その交差点２７部分で、読取線２６ｃと読取線２６ｄとは、平面視すると重複するように交差するが（図５参照）、交差点絶縁層４により絶縁されているので、両読取線２６ｃ，２６ｄが短絡することはない。この交差点絶縁層４は、少なくとも交差点２７の近傍に配置されていればその絶縁機能を発揮するが、もちろん製造工程の都合により、中継ＦＰＣ２６の長さ方向の全域に渡って配置されていてもよい。すべての電線２６ａ〜２６ｄが配線されると、さらにその上から絶縁樹脂材料で構成されたカバー層（絶縁膜）６が配置され、各電線がカバー層６によって覆われる。
【００４２】
[実施の形態２]
上記実施の形態１においては、読取線２６ｃ、読取線２６ｄの両方にクランク状の曲げ部を形成し、その曲げ部と曲げ部とが重なるように交差点２７を構成した。しかしながら、図７（ａ）に示すように、読取線２６ｃにはその長さ方向の略中央にクランク状の曲げ部２８が形成され、読取線２６ｄはヘッド側ランド２６ｅからアンプ側ランド２６ｆに向かって直線的に延びるように構成されていてもよい。
【００４３】
この実施の形態２によれば、読取線２６ｄの長さ方向の略中央部において、読取線２６ｃが横切るように交差して交差点２７を構成する。図７（ｂ）に模式的に示すように、書込線２６ｂと読取線２６ｃとにより囲まれる領域の面積を面積Ｓ１とし、書込線２６ｂと読取線２６ｄとにより囲まれる領域の面積を面積Ｓ２とし、面積Ｓ１と面積Ｓ２とが略同面積であるように構成すれば、書込線２６ｂから読取線２６ｃへのインジェクションによる影響と読取線２６ｄへのインジェクションによる影響とが略同程度となり、効果的にインジェクションを相殺することができる。したがって、インジェクションに起因する読取線２６ｃ，２６ｄの電位差を略ゼロにすることができ、読取ヘッド等の寿命をより向上させることができる。
【００４４】
[実施の形態３]
図８に、本発明の実施の形態３に係る中継ＦＰＣ２６の平面図を示す。この実施の形態３においては、書込線２６ａ、２６ｂが読取線２６ｃと読取線２６ｄとの間に配線されている。書込線２６ａと読取線２６ｃとの距離は書込線２６ｂと読取線２６ｄとの距離と一致するように配置されている。
【００４５】
このように構成することにより、書込線２６ａ，２６ｂからの読取線２６ｃに対するインジェクションの影響と読取線２６ｄに対するインジェクションの影響とを略同程度とすることができ、インジェクションを相殺することが可能となる。したがって、インジェクションに起因する読取線２６ｃ，２６ｄの電位差を略ゼロにすることができ、読取ヘッド等の寿命をより向上させることができる。
【００４６】
[実施の形態４]
図９に、本発明の実施の形態４に係る中継ＦＰＣ２６の平面図を示す。この実施の形態３においては、書込線２６ａと書込線２６ｂとの間に読取線２６ｃ，２６ｄが配線されている。書込線２６ａと読取線２６ｃとの距離は書込線２６ｂと読取線２６ｄとの距離と一致するように配置されている。
【００４７】
このように構成することにより、書込線２６ａ，２６ｂからの読取線２６ｃに対するインジェクションの影響と読取線２６ｄに対するインジェクションの影響とを略同程度とすることができ、インジェクションを相殺することが可能となる。したがって、インジェクションに起因する読取線２６ｃ，２６ｄの電位差を略ゼロにすることができ、読取ヘッド等の寿命をより向上させることができる。
【００４８】
[実施の形態５]
図１０及び図１１に、本発明の実施の形態５に係る中継ＦＰＣ２６を示す。図１０は、その平面図であり、図１１は、図１０中ＢＢで切断した断面図である。この実施の形態５においては、書込線２６ａ上に読取線２６ｃが重なるように配線され、書込線２６ｂ上に読取線２６ｄが重なるように配線されている。書込線２６ａ，２６ｂと読取線２６ｃ，２６ｄとは中間絶縁層（絶縁膜）８により絶縁されている。
【００４９】
このように構成することにより、各読取線２６ｃ，２６ｄと書込線２６ａ，２６ｂとの距離を一致させることができ、インジェクションを効果的に相殺することが可能となる。したがって、インジェクションに起因する読取線２６ｃ，２６ｄの電位差を略ゼロにすることができ、読取ヘッド等の寿命をより向上させることができる。
【００５０】
本出願はさらに以下の事項も開示する。
【００５１】
（付記１）  書き込み信号を伝達するための第１の電線と、前記第１の電線から離間して配線され、読み取り信号を伝達するための第２の電線と、前記第１の電線から離間して前記第２の電線と異なる位置に配線され、読み取り信号を伝達するための第３の電線とを有し、前記第１の電線と前記第２の電線との距離が、前記第１の電線と前記第３の電線との距離と一致する点が少なくとも一点存在することを特徴とする配線板。（１）
（付記２）  前記第２の電線と前記第３の電線が交差することを特徴とする付記１に記載の配線板。（２）
（付記３）  前記第１の電線に対し、前記第２の電線の方が前記第３の電線よりも近い部分に相当する前記第１の電線の長さと、前記第２の電線の方が前記第３の電線よりも遠い部分に相当する前記第１の電線の長さとが、略同じ長さであることを特徴とする付記２に記載の配線板。
【００５２】
（付記４）  前記第１の電線と前記第２の電線とにより囲まれる領域の面積と、前記第１の電線と前記第３の電線とにより囲まれる領域の面積とが略同面積であることを特徴とする付記２に記載の配線板。
【００５３】
（付記５）  前記第２の電線と前記第３の電線との間に前記第１の電線が配置されることを特徴とする付記１記載の配線板。
【００５４】
（付記６）  前記第２の電線と前記第３の電線とが前記第１の電線に重なるように配置されることを特徴とする付記１記載の配線板。
【００５５】
（付記７）  前記第１の電線は、少なくとも２本の電線から構成され、当該２本の電線の間に前記第２の電線及び前記第３の電線が配置されることを特徴とする付記１記載の配線板。
【００５６】
（付記８）  付記１から付記７のうちいずれか１に記載の配線板を有するヘッド機構。（３）
（付記９）  付記１から付記７のうちいずれか１に記載の配線板を有する磁気ディスク装置。（４）
（付記１０）  書き込み信号及び読み取り信号を伝達するための配線板の製造方法であって、前記読み取り信号を伝達するための第２の電線及び第３の電線を交差させる工程と、前記第２の電線及び前記第３の電線の交差している位置に絶縁膜を配置する工程と、前記第２の電線及び前記第３の電線を絶縁膜で覆う工程とを有する配線板の製造方法。（５）
【図面の簡単な説明】
【００５７】
【図１】本発明の実施の形態１に係る中継ＦＰＣを有するＨＤＤの内部構造を示す平面図である。
【図２】図１に示すＨＤＤ内のキャリッジの概略構成を部分的に分解して示す外観斜視図である。
【図３】図２のキャリッジに用いられるサスペンション部を示す外観斜視図である。
【図４】図１に示すＨＤＤに用いられるスライダの外観斜視図である。
【図５】本発明の実施の形態１に係る中継ＦＰＣの配線構成を示す平面図である。
【図６】図５に示す中継ＦＰＣを、図５中ＡＡで切断した断面図である。
【図７】本発明の実施の形態２に係る中継ＦＰＣを示し、（ａ）はその配線構成を示す平面図であり、（ｂ）は、書込線と読取線とで囲まれる領域の面積の大小関係を説明するための模式図である。
【図８】本発明の実施の形態３に係る中継ＦＰＣの配線構成を示す平面図である。
【図９】本発明の実施の形態４に係る中継ＦＰＣの配線構成を示す平面図である。
【図１０】本発明の実施の形態５に係る中継ＦＰＣの配線構成を示す平面図である。
【図１１】図１０に示す中継ＦＰＣを、図１０中ＢＢで切断した断面図である。
【符号の説明】
【００５８】
４：交差点絶縁層（絶縁膜）
６：カバー層（絶縁膜）
２４：磁気ヘッド
２６：中継ＦＰＣ（配線板）
２６ａ，２６ｂ：書込線（第１の電線）
２６ｃ：読取線（第２の電線）
２６ｄ：読取線（第３の電線）
２７：交差点
１００：ＨＤＤ（磁気ディスク装置）
１２０：キャリッジ
１３０：アクチュエータ
【図１】
2005071539.tif 000003
【図２】
2005071539.tif 000004
【図３】
2005071539.tif 000005
【図４】
2005071539.tif 000006
【図５】
2005071539.tif 000007
【図６】
2005071539.tif 000008
【図７】
2005071539.tif 000009
【図８】
2005071539.tif 000010
【図９】
2005071539.tif 000011
【図１０】
2005071539.tif 000012
【図１１】
2005071539.tif 000013